(57)【要約】      （修正有）【課題】光照射装置を備えていない鍵盤楽器において、押鍵のガイドのために白鍵及び黒鍵に光を照射することを可能とする光照射装置を提供する。【解決手段】白鍵１１ｗ及び黒鍵１１ｂに光を照射するための光照射装置２０は、左右方向を白鍵１１ｗ及び黒鍵１１ｂの配列方向にして、黒鍵１１ｂの上方凸部の上面後端部に載置されて、白鍵１１ｗ及び黒鍵１１ｂの上面に光を照射する。光照射装置２０は、左右方向に長尺状に形成されたケース２１と、ケース２１内に設けられてケース２１の左右方向に沿った複数本の光をケース２１の前面から出射して、複数の白鍵１１ｗ及び黒鍵１１ｂに独立して光を照射するための光出射器（ＬＥＤ２４Ａ１〜、凸レンズ２２Ａ２〜）と、ケース２１の底面に設けられて左右方向に長尺状の底プレート２６とを備えている。【選択図】図４
2017122788.tif 000002
【特許請求の範囲】
【請求項１】
左右方向に長尺状に形成されたケースと、
前記ケース内に設けられて前記ケースの左右方向に沿った複数本の光を前記ケースの前面から出射して、複数の白鍵及び黒鍵に独立して光を照射するための光出射器と、
前記ケースの底面に設けられて左右方向に長尺状の底プレートとを備えた光照射装置であって、
前記光照射装置の左右方向を白鍵及び黒鍵の配列方向にして、前記底プレートを黒鍵の上方凸部の上面後端部に載置した状態で、前記光出射器からの複数本の光が、複数の白鍵及び黒鍵の上面にそれぞれ照射されるようにしたことを特徴とする鍵盤楽器のための光照射装置。
【請求項２】
前記請求項１に記載した鍵盤楽器のための光照射装置において、
前記光出射器を、
前記ケース内にて左右方向に沿って配列された複数の発光素子と、
前記ケース内にて前記複数の発光素子の前方位置にそれぞれ対向して配置されて、前記複数の発光素子から発せられる光をほぼ平行光にそれぞれ変換する複数の凸レンズとで構成した鍵盤楽器のための光照射装置。
【請求項３】
前記請求項２に記載した鍵盤楽器のための光照射装置において、さらに、
前記複数の発光素子と、前記複数の凸レンズとの間に設けられて、前記複数の発光素子から発せられる光を対向するレンズのみに導くための複数の貫通孔を有するパーテーション部材を備えたことを特徴とする鍵盤楽器のための光照射装置。
【請求項４】
前記請求項１乃至３のうちのいずれか一つに記載した鍵盤楽器のための光照射装置において、さらに、
前記底プレートの下面の少なくとも一部に平板状のクッション部材を設けたことを特徴とする鍵盤楽器のための光照射装置。
【請求項５】
前記請求項１乃至３うちのいずれか一つに記載した鍵盤楽器のための光照射装置において、
前記底プレートに、前記底プレートの後端の少なくとも一部から下方に突出させて、前記底プレートを黒鍵の上方凸部の上面後端部に載置した状態で、前記上方凸部の後面に係合する平板状の係合部を設けたことを特徴とする鍵盤楽器のための光照射装置。
【請求項６】
前記請求項５に記載した鍵盤楽器のための光照射装置において、さらに、
前記底プレートの下面の少なくとも一部に平板状のクッション部材を設けるとともに、前記係合部の少なくとも前面側にも平板状のクッション部材を設けたことを特徴とする鍵盤楽器のための光照射装置。
【請求項７】
前記請求項１乃至６のうちのいずれか一つに記載した鍵盤楽器のための光照射装置において、
前記ケースは、前記底プレートを黒鍵の上方凸部の上面後端部に載置した状態で、上部が前側に傾くように構成されており、
前記ケースの左右方向の一部に電気制御装置を内蔵して上方に突出した突出部が設けられており、かつ
前記突出部の左右方向位置に対応した底プレートの部分は底プレートの他の部分よりも前側に幅広に形成されていることを特徴とする鍵盤楽器のための光照射装置。
【発明の詳細な説明】
【技術分野】
【０００１】
本発明は、電子ピアノ、電子オルガン、シンセサイザ、ピアノなどの鍵盤楽器に適用されて、複数の白鍵及び黒鍵に光をそれぞれ照射する鍵盤楽器のための光照射装置に関する。
【背景技術】
【０００２】
従来から、押鍵すべき白鍵及び黒鍵に光を照射して押鍵をガイドする鍵盤楽器のための光照射装置はよく知られている。例えば、下記特許文献１及び２には、白鍵及び黒鍵の後方にて楽器本体に組み付けられて、白鍵及び黒鍵の上部後方に設けた発光素子からの光をレンズを介して白鍵及び黒鍵の上面に照射する光照射装置が示されている。また、下記特許文献３及び４には、白鍵及び黒鍵の下方にて楽器本体に組み付けられて、白鍵及び黒鍵の下方に設けた発光素子からの光を白鍵及び黒鍵の下面に照射する光照射装置が示されている。
【先行技術文献】
【特許文献】
【０００３】
【特許文献１】特開２００１−２７２９８２号公報
【特許文献２】特開２０００−２５０５５２号公報
【特許文献３】特開２０１１−１７９０７号公報
【特許文献４】特開２０１１−２５３７５０号公報
【発明の概要】
【０００４】
しかしながら、上記特許文献１乃至４に示された光照射装置は、いずれも楽器本体内に組み付けられており、光照射装置による押鍵のガイドを必要とする者は、光照射装置を組み付けた鍵盤楽器を購入する必要があった。
【０００５】
本発明は、このような問題に対処するためになされたもので、その目的は、光照射装置が組み付けられた鍵盤楽器を購入しなくても、現在所有している光出射装置を備えていない鍵盤楽器において、押鍵のガイドのために白鍵及び黒鍵に光を照射することを可能とする鍵盤楽器のための光照射装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明の特徴は、左右方向に長尺状に形成されたケース（２１）と、ケース内に設けられてケースの左右方向に沿った複数本の光をケースの前面から出射して、複数の白鍵（１１ｗ）及び黒鍵（１１ｂ）に独立して光を照射するための光出射器（２４Ａ２〜２４Ｄ２，２２Ａ２〜２２Ｄ２）と、ケースの底面に設けられて左右方向に長尺状の底プレート（２６）とを備えた光照射装置であって、光照射装置の左右方向を白鍵及び黒鍵の配列方向にして、底プレートを黒鍵の上方凸部（１１ｂ１）の上面後端部に載置した状態で、光出射器からの複数本の光が複数の白鍵及び黒鍵の上面にそれぞれ照射されるようにしたことにある。
【０００７】
この場合、光出射器は、例えば、ケース内にて左右方向に沿って配列された複数の発光素子（２４Ａ１〜２４Ｄ１）と、ケース内にて複数の発光素子の前方位置にそれぞれ対向して配置されて、複数の発光素子から発せられる光をほぼ平行光にそれぞれ変換する複数の凸レンズ（２２Ａ２〜２２Ｄ２）とで構成されている。また、光出射器は、さらに、複数の発光素子と、複数の凸レンズとの間に設けられて、複数の発光素子から発せられる光を対向するレンズのみに導くための複数の貫通孔を有するパーテーション部材（２３）を備えている。
【０００８】
前記のように構成した本発明においては、光照射装置の左右方向を白鍵及び黒鍵の配列方向にして、底プレートを黒鍵の上方凸部の上面後端部に載置すれば、光出射器からの光が複数の白鍵及び黒鍵の上面にそれぞれ照射される。したがって、本発明によれば、光照射装置が組み付けられた鍵盤楽器を購入しなくても、現在所有している光照射装置を備えていない鍵盤楽器において、押鍵のガイドのために白鍵及び黒鍵に光を照射することができて便利である。また、パーテーション部材により、複数の発光素子から発せられる光が対向するレンズのみに良好に導かれる。
【０００９】
また、本発明の他の特徴は、さらに、底プレートの下面の少なくとも一部に平板状のクッション部材（２７）を設けたことにある。この場合、クッション部材は、例えば、フェルトである。これよれば、クッション部材と左右方向位置を同じとする黒鍵が押されて、黒鍵の上方凸部の後端部が上下方向に移動しても、黒鍵の上方凸部の上面と底プレートの下面との衝突による異音が発生しなくなるとともに、前記衝突による光照射装置の上下振動が抑制される。また、クッション部材が設けられていない位置の黒鍵が押鍵されても、押鍵された黒鍵の上方凸部の上面と底プレートの下面との間には、クッション部材による空間が存在するので、黒鍵が元の位置に復帰する際に多少上下振動しても、黒鍵の上方凸部の上面が底プレートの下面に接触して異音を発生することもない。
【００１０】
また、本発明の他の特徴は、底プレートに、底プレートの後端の少なくとも一部から下方に突出させて、底プレートを黒鍵の上方凸部の上面後端部に載置した状態で、上方凸部の後面に係合する平板状の係合部（２６ｃ）を設けたことにある。これによれば、底プレートを黒鍵の上方凸部の上面後端部に載置するとともに、係合部を黒鍵の上方凸部の後面に係合させれば、光照射装置を黒鍵の上方凸部上の適切な位置に安定して位置させることができる。
【００１１】
また、本発明の他の特徴は、底プレートの下面の少なくとも一部に平板状のクッション部材（２７）を設けるとともに、係合部の少なくとも前面側にも平板状のクッション部材（２７）を設けたことにある。これによれば、クッション部材と左右方向位置を同じとする黒鍵が押されて、黒鍵の上方凸部の後端部が上下方向及び前後方向に移動しても、黒鍵の上方凸部の上面と底プレートの下面との衝突及び黒鍵の上方凸部の後面と底プレートの係合部の前面との衝突による異音が発生しなくなるとともに、前記衝突による光照射装置の上下振動及び前後振動が抑制される。また、クッション部材が設けられていない位置の黒鍵が押鍵されても、押鍵された黒鍵の上方凸部の上面と底プレートの下面との間、及び黒鍵の上方凸部の後面と底プレートの係合部の前面との間には、クッション部材による空間が存在するので、黒鍵が元の位置に復帰する際に多少上下方向及び前後方向に振動しても、黒鍵の上方凸部の上面が底プレートの下面に接触したり、黒鍵の上方凸部の後面が係合部の前面に接触したりして、異音を発生することもない。
【００１２】
また、本発明の他の特徴は、ケースは、底プレートを黒鍵の上方凸部の上面後端部に載置した状態で、上部が前側に傾くように構成されており、ケースの左右方向の一部に電気制御装置（２４Ｅ，２４Ｅ１〜２４Ｅ４）を内蔵して上方に突出した突出部（２１Ａup）が設けられており、かつ突出部の左右方向位置に対応した底プレートの部分（２６ａ１）は底プレートの他の部分よりも前側に幅広に形成されていることにある。これによれば、突出部により下方への重量が増しても、前側に傾いているケースがより前側に傾くことはなく、光照射装置は黒鍵の上方凸部の後端部上に安定して載置される。さらに、底プレートにおける左右方向の一部のみの前後幅を大きくしただけであるので、光照射装置の全体重量をそれ程大きくすることはなく、黒鍵を下方に移動させることもない。
【図面の簡単な説明】
【００１３】
【図１】本発明の第１実施形態に係る光照射装置を黒鍵の上方凸部の上面後端部に載置した状態を示す電子ピアノの全体概略斜視図である。
【図２】黒鍵の上方凸部の上面後端部に光照射装置を載置しない状態を示す電子ピアノの全体概略斜視図である。
【図３】図１の電子ピアノの高音側の１オクターブ程度を拡大して示すとともに、光照射装置を上下方向の中間位置にて横断して示す平面図である。
【図４】図３の枠IV内の拡大図である。
【図５】図３のＶ−Ｖ線に沿って見た電子ピアノの後部を除く概略縦断面図である。
【図６】図５の枠VI内の拡大図である。
【図７】（Ａ）は光照射装置を正面側の斜め上方から見た概略斜視図であり、（Ｂ）は（Ａ）の光照射装置を軸線回りに９０度左回転させて光照射装置を裏面側の斜め上方から見た概略斜視図であり、（Ｃ）は（Ｂ）の光照射装置を軸線回りにさらに９０度左回転させて光照射装置を底面側の斜め上方から見た概略斜視図である。
【図８】光照射装置のケースを裏面側の斜め下方から見た概略斜視図である。
【図９】図８のケースにレンズプレートを組み付けた状態にある光照射装置を裏面側の斜め下方から見た概略斜視図である。
【図１０】図９のレンズプレートの裏面にパーテーション部材を組み付けた状態にある光照射装置を裏面側の斜め下方から見た概略斜視図である。
【図１１】図１０のパーテーション部材の裏面に電気回路基板を組み付けた状態にある光照射装置を裏面側の斜め下方から見た概略斜視図である。
【図１２】図１１の電気回路基板の裏面にフラットケーブルを組み付けた状態にある光照射装置を裏面側の斜め下方から見た概略斜視図である。
【図１３】図１２のフラットケーブルの裏面に裏プレートを組み付けた状態にある光照射装置を裏面側の斜め下方から見た概略斜視図である。
【図１４】図１３のケースの下面及び裏プレートの裏面に底プレートを組み付けた状態にある光照射装置を裏面側の斜め下方から見た概略斜視図である。
【図１５】図１４の底プレートの下面及び裏プレートの裏面にフェルトを組み付けた状態にある照射装置を裏面側の斜め下方から見た概略斜視図である。
【図１６】図７乃至図１５に示すように構成した場合の光照射装置における光の進路を説明するための説明図である。
【図１７】電子ピアノの回路構成図である。
【図１８】第２実施形態に係る光照射装置の図３に対応した平面図である。
【図１９】図１８の枠IX内の拡大図である。
【図２０】図１８のＸ−Ｘ線に沿って見た電子ピアノの後部を除く概略縦断面図である。
【図２１】図２０の枠Ｉ内の拡大図である。
【図２２】図１８乃至図２１に示すようにプリズムを組み付けて構成した場合の光照射装置における光の進路を説明するための説明図である。
【図２３】（Ａ）は鍵盤の左右方向の中央付近における白鍵及び黒鍵に対するＬＥＤ及び凸レンズの左右方向位置を説明するための説明図であり、（Ｂ）は鍵盤の右側部分における白鍵及び黒鍵に対するＬＥＤ、凸レンズ及びプリズムの左右方向位置を説明するための説明図である。
【図２４】第３実施形態に係る光照射装置の図２１に対応した拡大図である。
【発明を実施するための形態】
【００１４】
ａ．第１実施形態
以下、本発明の第１実施形態に係る光照射装置について図面を用いて説明する。図１は、光照射装置２０を黒鍵１１ｂの上方凸部１１ｂ１の上面後端部に載置した状態を示す電子ピアノ１０の全体概略斜視図である。図２は、黒鍵１１ｂの上方凸部１１ｂ１の上面後端部に光照射装置２０を載置しない状態を示す電子ピアノ１０の全体概略斜視図である。図３は、図１の電子ピアノ１０の高音側の１オクターブ程度を拡大して示すとともに、光照射装置２０を上下方向の中間位置にて横断して示す平面図である。図４は、図３の枠IV内の拡大図である。図５は、図３のＶ−Ｖ線に沿って見た電子ピアノ１０の後部を除く概略縦断面図である。図６は、図５の枠VI内の拡大図である。なお、図４及び図６においては断面部にハッチングを付して示しているが、図３及び図５においては断面部のハッチングを省略している。また、以下の説明では、電子ピアノ１０を正面から見て左方向を左側とし、右方向を右側とする。
【００１５】
電子ピアノ１０は、複数の白鍵１１ｗ及び黒鍵１１ｂからなる鍵盤１１を備えている。なお、白鍵１１ｗ及び黒鍵１１ｂのトータル鍵数は、本第１実施形態では、「８８」である。鍵盤１１は、下方にて水平に左右方向に延設された棚板１２により支持されている（図５参照）。棚板１２は、上下方向に延設された左右一対の側板１３，１３により、それらの上端部にて支持されている。棚板１２の左右両端部には鍵盤１１の左右両側にて前後方向に延設された左右一対の腕木１４，１４が設けられている。鍵盤１１の左右両側には、電子ピアノ１０の動作を設定するための複数の操作子１５に加えて、電子ピアノ１０の動作状態を表す表示器１６（図１乃至図３では省略）も設けられている。腕木１４，１４の後部の両上端面には、鍵盤１１の上方にて、左右方向に水平に延設された上板１７が設けられている。上板１７の下方であって鍵盤１１の上方には、鍵盤１１の左右方向の長さにほぼ等しくて前後方向に移動可能なスライド蓋１８が設けられている。スライド蓋１８は、電子ピアノ１０の非演奏時には、前方に引き出されて鍵盤１１を覆う。また、スライド蓋１８は、電子ピアノ１０の演奏時には、上板１７の前端位置まで押し込まれて、鍵盤１１の上方を開放する。
【００１６】
次に、光照射装置２０について詳細に説明する。光照射装置２０は、スライド蓋１８を上板１７の前端位置まで押し込んだ状態で、黒鍵１１ｂの上方凸部１１ｂ１の上面後端部に載置される。なお、黒鍵１１ｂの上方凸部１１ｂ１とは、白鍵１１ｗの上面よりも上方に位置する部分であり、その後端は、押し込んだ状態のスライド蓋１８の若干前方に位置する。光照射装置２０は、図１及び図７（Ａ）〜（Ｃ）の全体概略斜視図に示すように、縦断面形状を方形状（台形状）にして、左右方向に長尺状に形成されている。光照射装置２０は、ケース２１、レンズプレート２２、パーテーション部材２３、電気回路基板２４、裏プレート２５及び底プレート２６を備えている。
【００１７】
ケース２１は、図７の光照射装置の全体図及び図８の部品図に示すように、４つに分割された分割ケース２１Ａ、２１Ｂ，２１Ｃ，２１Ｄからなる。分割ケース２１Ａ，２１Ｂ，２１Ｃ，２１Ｄは、それぞれ樹脂により一体成型されて、特に図６及び図８に示すように、平板状かつ左右方向に長尺状の正面壁、下面壁及び上面壁をそれぞれ備え、後側を幅広にした台形の同一の縦断面形状をそれぞれ有して後方を開放させている。分割ケース２１Ａの右端（図８における左端）は右側壁により閉ざされ、その左端は解放されている。分割ケース２１Ｂ，２１Ｃの左右両端はそれぞれ開放されている。分割ケース２１Ｄの左端（図８における右端）は左側壁により閉ざされ、その右端は開放されている。また、分割ケース２１Ａの中央よりも右側位置（図８では左側位置）の上部には、平板状かつ長方形状の正面壁、左右側壁及上面壁によって囲まれて内部に方形状の空間を形成し、後方を開放させた上方突出部２１Ａupが形成されている。
【００１８】
分割ケース２１Ａ，２１Ｂ，２１Ｃ，２１Ｄの正面壁には、それらの上下方向のほぼ中央位置に、左右方向に配列されて、後述する複数の凸レンズ２２Ａ２をそれぞれ侵入させて光を通過させるための複数の円形の貫通孔２１Ａ１，２１Ｂ１，２１Ｃ１，２１Ｄ１（本第１実施形態では、２２個ずつの貫通孔）がそれぞれ設けられている。複数の貫通孔２１Ａ１，２１Ｂ１，２１Ｃ１，２１Ｄ１は、光照射装置２０の左右方向の中央位置を鍵盤１１の左右方向の中央位置に合わせて、光照射装置２０を黒鍵１１ｂの上方凸部１１ｂ１の上面後端部に載置した状態で、複数の白鍵１１ｗ及び黒鍵１１ｂにそれぞれ対応し、複数の白鍵１１ｗ及び黒鍵１１ｂの幅方向中央にそれぞれ位置する（図３及び図４参照）。
【００１９】
分割ケース２１Ａ，２１Ｂ，２１Ｃ，２１Ｄの各正面壁の裏面側における貫通孔２１Ａ１，２１Ｂ１，２１Ｃ１，２１Ｄ１の下方の適宜箇所には、内部に雌ねじが形成されて後方に突出した円筒状の２組のねじ固定部２１Ａ２，２１Ａ３，２１Ｂ２，２１Ｂ３，２１Ｃ２，２１Ｃ３，２１Ｄ２，２１Ｄ３がそれぞれ設けられている。ねじ固定部２１Ａ２，２１Ｂ２，２１Ｃ２，２１Ｄ２の後端面は分割ケース２１Ａ，２１Ｂ，２１Ｃ，２１Ｄの前後方向の中間に位置し、ねじ固定部２１Ａ３，２１Ｂ３，２１Ｃ３，２１Ｄ３の後端面は分割ケース２１Ａ，２１Ｂ，２１Ｃ，２１Ｄの後端よりも僅かに前側に位置する。また、分割ケース２１Ａの上方突出部２１Ａupの正面壁の裏面側にも、同様な２組のねじ固定部２１Ａ２，２１Ａ３が設けられている。この場合のねじ固定部２１Ａ２，２１Ａ３の長さは、共に前述したねじ固定部２１Ａ２の前後方向の長さにほぼ等しい。
【００２０】
このように構成した分割ケース２１Ａ，２１Ｂ，２１Ｃ，２１Ｄを、正面側を下側に向けて左から左右方向に延設させて並べれば、図８に示すように、ケース２１の内部には、断面台形状の長尺状の空間が形成される。分割ケース２１Ａの上部には、上方突出部２１Ａupによる、前記長尺状の空間から連続した方形状の空間も形成されている。
【００２１】
レンズプレート２２は、図９の組み付け図に示すように、４つに分割された分割レンズプレート２２Ａ、２２Ｂ，２２Ｃ，２２Ｄからなる。分割レンズプレート２２Ａ，２２Ｂ，２２Ｃ，２２Ｄは、それぞれ透光性を有する無色の樹脂により一体形成され、左右方向に長尺状かつ平板状に形成された長方形の平板部２２Ａ１，２２Ｂ１，２２Ｃ１，２２Ｄ１をそれぞれ有する。平板部２２Ａ１，２２Ｂ１，２２Ｃ１，２２Ｄ１の上下方向のほぼ中央位置であり、かつ分割ケース２１Ａ、２１Ｂ，２１Ｃ，２１Ｄに設けた複数の貫通孔２１Ａ１，２１Ｂ１，２１Ｃ１，２１Ｄ１に対向する位置には、前側を平板部２２Ａ１，２２Ｂ１，２２Ｃ１，２２Ｄ１から突出させた複数の凸レンズ２２Ａ２，２２Ｂ２，２２Ｃ２，２２Ｄ２が横一列に並べてそれぞれ設けられている（図４及び図６参照）。ただし、凸レンズ２２Ｂ２，２２Ｃ２，２２Ｄ２に関しては、図示省略されている。また、平板部２２Ａ１，２２Ｂ１，２２Ｃ１，２２Ｄ１の下端部であって、分割ケース２１Ａ、２１Ｂ，２１Ｃ，２１Ｃにそれぞれ設けた複数のねじ固定部２１Ａ２，２１Ａ３，２１Ｂ２，２１Ｂ３，２１Ｃ２，２１Ｃ３，２１Ｄ２，２１Ｄ３に対向する位置には、複数の切欠き２２Ａ３，２２Ｂ３，２２Ｃ３，２２Ｄ３がそれぞれ設けられている。
【００２２】
複数の凸レンズ２２Ａ２，２２Ｂ２，２２Ｃ２，２２Ｄ２は、後述するＬＥＤ（発光ダイオード）２４Ａ１，２４Ｂ１，２４Ｃ１，２４Ｄ１から発せられる光をほぼ平行光に変換して、変換された光を白鍵１１ｗ及び黒鍵１１ｂの上面前側位置に照射するものである。この場合、ＬＥＤ２４Ａ１，２４Ｂ１，２４Ｃ１，２４Ｄ１が理想的な点光源であれば、平行光への変換が可能である。しかし、ＬＥＤ２４Ａ１，２４Ｂ１，２４Ｃ１，２４Ｄ１が理想的な点光源でないときには、理想的な平行光への変換が不可能であるので、光の拡散を抑えて、なるべく平行光に近い光に変換することになる。また、分割ケース２１Ａ，２１Ｂ，２１Ｃ，２１Ｄの大きさ、傾きなどの条件により、ほぼ平行光が白鍵１１ｗ及び黒鍵１１ｂの上面の適当な位置に照射されるならば、全ての凸レンズ２２Ａ２，２２Ｂ２，２２Ｃ２，２２Ｄ２の中心軸を平行にしてもよい。しかし、ほぼ平行光が白鍵１１ｗ及び黒鍵１１ｂの上面の適当な位置に照射されなければ、複数の凸レンズ２２Ａ２，２２Ｂ２，２２Ｃ２，２２Ｄ２の中心軸の上下方向の傾きを白鍵１１ｗの照射用と黒鍵１１ｂの照射用とで異ならせるとよい。また、プリズムを用いて、複数の凸レンズ２２Ａ２，２２Ｂ２，２２Ｃ２，２２Ｄ２からのほぼ平行光の上下方向の傾きを白鍵１１ｗと黒鍵１１ｂとで異ならせてもよい。
【００２３】
このように構成された分割レンズプレート２２Ａ，２２Ｂ，２２Ｃ，２２Ｄは、分割ケース２１Ａ，２１Ｂ，２１Ｃ，２１Ｄ内に裏面側から組み込まれ、凸レンズ２２Ａ２，２２Ｂ２，２２Ｃ２，２２Ｄ２を貫通孔２１Ａ１，２１Ｂ１，２１Ｃ１，２１Ｄ１内に侵入させて、分割ケース２１Ａ，２１Ｂ，２１Ｃ，２１Ｄの各正面壁の裏面上に組み付けられる。この状態では、複数のねじ固定部２１Ａ２，２１Ａ３，２１Ｂ２，２１Ｂ３，２１Ｃ２，２１Ｃ３，２１Ｄ２，２１Ｄ３は、切欠き２２Ａ３，２２Ｂ３，２２Ｃ３，２２Ｄ３を介して平板部２２Ａ１，２２Ｂ１，２２Ｃ１，２２Ｄ１の後方にそれぞれ突出している。
【００２４】
なお、分割レンズプレート２２Ａ，２２Ｂ，２２Ｃ，２２Ｄは、透光性を有するものであれば、無色でなく、有色であってもよい。この場合、後述するＬＥＤ２４Ａ１，２４Ｂ１，２４Ｃ１，２４Ｄ１の発光色と、白鍵１１ｗ及び黒鍵１１ｂに照射される光の色とに応じて、分割レンズプレート２２Ａ，２２Ｂ，２２Ｃ，２２Ｄの色を決めるとよい。また、分割レンズプレート２２Ａ，２２Ｂ，２２Ｃ，２２Ｄは、樹脂でなくても、ガラスなどの部材であってもよい。さらに、平板部２２Ａ１，２２Ｂ１，２２Ｃ１，２２Ｄ１をなくして、複数の凸レンズ２２Ａ２，２２Ｂ２，２２Ｃ２，２２Ｄ２をそれぞれ貫通孔２１Ａ１，２１Ｂ１，２１Ｃ１，２１Ｄ１内に侵入させて、分割ケース２１Ａ，２１Ｂ，２１Ｃ，２１Ｄの裏面側に組み付けるようにしてもよい。
【００２５】
パーテーション部材２３は、図１０の組み付け図に示すように、４つに分割された分割パーテーション部材２３Ａ，２３Ｂ，２３Ｃ，２３Ｄからなる。分割パーテーション部材２３Ａ，２３Ｂ，２３Ｃ，２３Ｄは、それぞれ光を透過させない部材（例えば、遮光性の樹脂）により一体形成され、分割レンズプレート２２Ａ，２２Ｂ，２２Ｃ，２２Ｄに設けた凸レンズ２２Ａ２，２２Ｂ２，２２Ｃ２，２２Ｄ２に対向する位置に、横一列に配置された前後方向を軸線方向とする複数の円筒部２３Ａ１，２３Ｂ１，２３Ｃ１，２３Ｄ１（本第１実施形態では、２２個ずつの円筒部）を備えている（図３及び図４参照）。円筒部２３Ａ１，２３Ｂ１，２３Ｃ１，２３Ｄ１の内径は凸レンズ２２Ａ２，２２Ｂ２，２２Ｃ２，２２Ｄ２の外径よりも若干大きく形成され、隣合う円筒部２３Ａ１，２３Ｂ１，２３Ｃ１，２３Ｄ１が平板状の連結部２３Ａ２，２３Ｂ２，２３Ｃ２，２３Ｄ２によりそれぞれ連結されている。
【００２６】
このように構成された分割パーテーション部材２３Ａ，２３Ｂ，２３Ｃ，２３Ｄは、分割ケース２１Ａ，２１Ｂ，２１Ｃ，２１Ｄ内に裏面側から組み込まれ、円筒部２３Ａ１，２３Ｂ１，２３Ｃ１，２３Ｄ１の前面を分割レンズプレート２２Ａ，２２Ｂ，２２Ｃ，２２Ｄの平板部２２Ａ１，２２Ｂ１，２２Ｃ１，２２Ｄ１の裏面上に載置して組み付けられる。この状態では、円筒部２３Ａ１，２３Ｂ１，２３Ｃ１，２３Ｄ１の開放前面が凸レンズ２２Ａ２，２２Ｂ２，２２Ｃ２，２２Ｄ２に対向している。
【００２７】
電気回路基板２４は、図１１の組み付け図に示すように、４つに分割された分割電気回路基板２４Ａ，２４Ｂ，２４Ｃ，２４Ｄ及び全体制御用電気回路基板２４Ｅからなる。分割電気回路基板２４Ａ，２４Ｂ，２４Ｃ，２４Ｄは、それぞれ平板状かつ長方形状に形成されている。分割電気回路基板２４Ａ，２４Ｂ，２４Ｃ，２４Ｄの前面には、横一列に配置された発光素子としての複数のＬＥＤ２４Ａ１，２４Ｂ１，２４Ｃ１，２４Ｄ１（本第１実施形態では、２２個ずつのＬＥＤ）が取り付けられている（図４及び図６参照）。ただし、ＬＥＤ２４Ｂ１，２４Ｃ１，２４Ｄ１は図示省略されている。なお、本第１実施形態では、白鍵１１ｗに対応したＬＥＤ２４Ａ１，２４Ｂ１，２４Ｃ１，２４Ｄ１は緑色の光を発光し、黒鍵１１ｂに対応したＬＥＤ２４Ａ１，２４Ｂ１，２４Ｃ１，２４Ｄ１は赤色の光を発光する。
【００２８】
複数のＬＥＤ２４Ａ１，２４Ｂ１，２４Ｃ１，２４Ｄ１は、分割パーテーション部材２３Ａ，２３Ｂ，２３Ｃ，２３Ｄに設けた複数の円筒部２３Ａ１，２３Ｂ１，２３Ｃ１，２３Ｄ１にそれぞれ対向し、それらの中心軸を分割レンズプレート２２Ａ，２２Ｂ，２２Ｃ，２２Ｄに設けた複数の凸レンズ２２Ａ２，２２Ｂ２，２２Ｃ２，２２Ｄ２の中心軸とそれぞれ一致させている（図３及び図４参照）。そして、各ＬＥＤ２４Ａ１，２４Ｂ１，２４Ｃ１，２４Ｄ１から発せられた光を複数の各凸レンズ２２Ａ２，２２Ｂ２，２２Ｃ２，２２Ｄ２でほぼ平行光に変換するために、各ＬＥＤ２４Ａ１，２４Ｂ１，２４Ｃ１，２４Ｄ１から各凸レンズ２２Ａ２，２２Ｂ２，２２Ｃ２，２２Ｄ２までの距離は各凸レンズ２２Ａ２，２２Ｂ２，２２Ｃ２，２２Ｄ２の焦点距離にほぼ等しい（図１６参照）。凸レンズ２２Ａ２，２２Ｂ２，２２Ｃ２，２２Ｄ２によって変換されたほぼ平行光は、白鍵１１ｗの上面手前位置及び黒鍵１１ｂの上方凸部１１ｂ１の上面手前位置にそれぞれ照射される。この場合、分割パーテーション部材２３Ａ，２３Ｂ，２３Ｃ，２３Ｄにより、ＬＥＤ２４Ａ１，２４Ｂ１，２４Ｃ１，２４Ｄ１から発せられる光は、対向する凸レンズ２２Ａ２，２２Ｂ２，２２Ｃ２，２２Ｄ２にそれぞれ良好に導かれる。なお、このＬＥＤ２４Ａ１，２４Ｂ１，２４Ｃ１，２４Ｄ１と凸レンズ２２Ａ２，２２Ｂ２，２２Ｃ２，２２Ｄ２とで、本発明の光出射器を構成する。
【００２９】
分割電気回路基板２４Ａ，２４Ｂ，２４Ｃ，２４Ｄの前面には、それぞれ複数のＬＥＤ２４Ａ１，２４Ｂ１，２４Ｃ１，２４Ｄ１を指定するコード化された信号をデコードするための電気回路部品、デコードされた電気信号を用いて複数のＬＥＤ２４Ａ１，２４Ｂ１，２４Ｃ１，２４Ｄ１の通電を制御するためのスイッチング素子などからなる電気回路部品が設けられるともに、これらの電気回路部品を電気接続するための回路パターンも形成されている。なお、電気回路部品及び回路パターンに関しては、図示省略されている。また、分割電気回路基板２４Ａ，２４Ｂ，２４Ｃ，２４Ｄの裏面には、それぞれ前記回路パターンに電気接続されたコネクタ２４Ａ２，２４Ｂ２，２４Ｃ２，２４Ｄ２が設けられている。
【００３０】
また、全体制御用電気回路基板２４Ｅも、平板状かつ長方形状に形成され、分割ケース２１Ａの上方突出部２１Ａup内に組込まれている。全体制御用電気回路基板２４Ｅの前面には、複数のＬＥＤ２４Ａ１，２４Ｂ１，２４Ｃ１，２４Ｄ１を指定するコード化した信号及び駆動電圧を出力するための制御回路を構成する電気回路部品、及び前記電気回路部品を電気接続するための回路パターンも形成されている。なお、電気回路部品及び回路パターンに関しては、図示省略されている。また、全体制御用電気回路基板２４Ｅの裏面には、前記電気回路部品から回路パターンを介して分割電気回路基板２４Ａ，２４Ｂ，２４Ｃ，２４Ｄに、複数のＬＥＤ２４Ａ１，２４Ｂ１，２４Ｃ１，２４Ｄ１を指定するコード化信号及び駆動電圧を出力するためのコネクタ２４Ｅ１，２４Ｅ２，２４Ｅ３，２４Ｅ４が設けられている。また、全体制御用電気回路基板２４Ｅには、外部からの制御信号を前記電気回路部品に供給するためのコネクタ２４Ｘも、分割ケース２１Ａの上方突出部２１Ａupの右側壁を貫通するように設けられている。
【００３１】
このように構成された分割電気回路基板２４Ａ，２４Ｂ，２４Ｃ，２４Ｄ及び全体制御用電気回路基板２４Ｅは、分割ケース２１Ａ，２１Ｂ，２１Ｃ，２１Ｄ内に裏面側から組み込まれ、複数の雄ねじ３１を貫通孔にそれぞれ貫通させるとともに、ねじ固定部２１Ａ２，２１Ｂ２，２１Ｃ２，２１Ｄ２にそれぞれ螺合させて、分割ケース２１Ａ，２１Ｂ，２１Ｃ，２１Ｄにそれぞれ組み付けられる。この状態では、分割ケース２１Ａの上方突出部２１Ａupに設けたねじ固定部２１Ａ３以外のねじ固定部２１Ａ３，２１Ｂ３，２１Ｃ３，２１Ｄ３は、貫通孔を介して分割電気回路基板２４Ａ，２４Ｂ，２４Ｃ，２４Ｄの後面から後方に突出している。
【００３２】
図１２の組み付け図に示すように、分割電気回路基板２４Ａ，２４Ｂ，２４Ｃ，２４Ｄ及び全体制御用電気回路基板２４Ｅの後面上には、フラットケーブル３２Ａ，３２Ｂ，３２Ｃ，３２Ｄが設けられている。そして、フラットケーブル３２Ａ，３２Ｂ，３２Ｃ，３２Ｄを介してコネクタ２４Ｅ１，２４Ａ２間、コネクタ２４Ｅ２，２４Ｂ２間、コネクタ２４Ｅ３，２４Ｃ２間及びコネクタ２４Ｅ４，２４Ｄ２間をそれぞれ接続することにより、分割電気回路基板２４Ａ，２４Ｂ，２４Ｃ，２４Ｄは全体制御用電気回路基板２４Ｅにそれぞれ電気接続されている。
【００３３】
裏プレート２５は、図１３の組み付け図に示すように、一枚の金属板で構成され、左右方向に長尺状の長方形の左右延設部分２５Ａと、左右延設部分２５Ａの右端部側（図１３では左側）の上端部から上方に突出した長方形の上方突出部分２５Ｂを有する。左右延設部分２５Ａ及び上方突出部分２５Ｂは、分割ケース２１Ａ，２１Ｂ，２１Ｃ，２１Ｄの後端部の内側面に入り込む程度の大きさを有する。左右延設部分２５Ａの下端及び上端には、分割ケース２１Ａ、２１Ｂ，２１Ｃ，２１Ｄの下面壁及び上面壁の後端部内側面に対向させる前方に突出した突出部が設けられている（図６参照）。
【００３４】
裏プレート２５の左右延設部分２５Ａ及び上方突出部分２５Ｂには、後述する雄ねじ３３を通過させるための貫通孔２５ａが設けられている。裏プレート２５の左右延設部分２５Ａにおける左右両端部側には、内部に雌ねじを形成したねじ孔２５ｂが設けられている。このように構成された裏プレート２５は、分割ケース２１Ａ，２１Ｂ，２１Ｃ，２１Ｄ内に裏面側から組み込まれ、それらの前面をねじ固定部２１Ａ３，２１Ｂ３，２１Ｃ３，２１Ｄ３の後端面上に載置させる。
【００３５】
底プレート２６は、図１４の組み付け図に示すように、一枚の金属板で構成され、左右方向に長尺状の長方形の底面部２６ａを備えている。底面部２６ａの右側一部であって、分割ケース２１Ａの上方突出部２１Ａupに対応する位置には、他の部分よりも所定幅だけ前方に突出した幅広部２６ａ１が設けられている。また、底面部２６ａの左側の一部には、所定の間隔を隔てて一対の突出部２６ａ２も設けられている（図６及び図７参照）。
【００３６】
底面部２６ａの後端であって、裏プレート２５における左右延設部分２５Ａの貫通孔２５ａに対応する部分には、前方に傾けて上方に突出した方形状の複数の係合片２６ｂが設けられている。また、底面部２６ａの後端であって、底面部２６ａの両端側の２つの係合片２６ｂ間には、底面部２６ａに対して直角に下方に突出した平板状かつ方形状の係合片２６ｃがそれぞれ設けられている。
【００３７】
このように構成された底プレート２６は、底面部２６ａの上面に分割ケース２１Ａ，２１Ｂ，２１Ｃ，２１Ｄの下面壁を載せ、係合片２６ｂの前面を裏プレート２５の裏面に密着させる。そして、雄ねじ３３を、係合片２６ｂに設けた貫通孔及び裏プレート２５の左右延設部分２５Ａに設けた貫通孔２５ａを介して分割ケース２１Ａ，２１Ｂ，２１Ｃ，２１Ｄのねじ固定部２１Ａ３，２１Ｂ３，２１Ｃ３，２１Ｄ３に侵入させて螺合させる。また、裏プレート２５の上方突出部分２５Ｂに関しても、雄ねじ３３を貫通孔２５ａを介して分割ケース２１Ａのねじ固定部２１Ａ３に侵入させて螺合させる。これにより、分割ケース２１Ａ，２１Ｂ，２１Ｃ，２１Ｄは、裏プレート２５に、一体的に組み付けられる。
【００３８】
底プレート２６の２つの係合片２６ｃには、図１５の組み付け図に示すように、平板状かつ方形状に形成されたクッション部材である２枚のフェルト２７がそれぞれ組付けられている。２枚のフェルト２７の組み付けにおいては、フェルト２７の上面に接着剤を塗布した後、フェルト２７の前側上面を底プレート２６の底面部２６ａの下面に接着し、フェルト２７の後側部分を、係合片２６ｃの前面上を下方に延設させ、係合片２６ｃの下端を取り巻まいた後、後側上面を係合片２６ｃの後面上を上方に延設させて、係合片２６ｃの前面及び後面に接着する。さらに、フェルト２７の後側上面を裏プレート２５の後面に接着する（図６参照）。そして、雄ねじ３４を、フェルト２７に設けた貫通孔に貫通させて、裏プレート２５に設けたねじ孔２５ｂに螺合させる。また、リベットの一種であるハトメ（グロメット）３５を、底プレート２６の幅広部２６ａ１及び突出部２６ａ２に設けた貫通孔及びフェルト２７に設けた貫通孔に上方から貫通させて、下端部を押しつぶす。これにより、２枚のフェルト２７が底プレート２６を介して分割ケース２１Ａ，２１Ｄにそれぞれ組み付けられる（図３及び図７参照）。なお、フェルト２７の下面は、底プレート２６の底面部２６ａの下面よりも下方に位置する。また、光照射装置２０が黒鍵１１ｂの上方凸部１１ｂ１の上面後端部に載置された状態では、ハトメ３５は白鍵１１ｗの上方に位置するので、ハトメ３５がフェルト２７の下面から突出しても、ハトメ３５が白鍵１１ｗ及び黒鍵１１ｂに接触することはない。このようにして、光照射装置２０が組み立てられる。
【００３９】
次に、電子ピアノ内に設けた電気回路装置について説明しておく。電気回路装置は、図１７に示すように、鍵検出回路４１、操作子検出回路４２、表示制御回路４３、音源回路４４、ＤＳＰ回路４５及びサウンドシステム４６を備えている。鍵検出回路４１は、鍵盤１１における白鍵１１ｗ及び黒鍵１１ｂの押離鍵操作を検出する。操作子検出回路４２は、操作子１５の操作を検出する。表示制御回路４３は、表示器１６の表示を制御する。表示器１６は、ディスプレイを有し、各種情報を表示する。音源回路４４は、演奏者による鍵盤１１における演奏に従って、操作子１５の操作に応じた楽音信号（ピアノ音）を生成してＤＳＰ回路４５に出力する。ＤＳＰ回路４５は、音源回路４４からの楽音信号に効果を付与して、サウンドシステム４６に出力する。サウンドシステム４６は、Ｄ／Ａ変換器、アンプ、スピーカなどを含み、ＤＳＰ４５からの楽音信号に対応した楽音を外部に放音する。
【００４０】
これらの鍵検出回路４１、操作子検出回路４２、表示制御回路４３、音源回路４４及びＤＳＰ回路４５は、バス５０に接続されている。バス５０には、コンピュータ装置５１、記憶装置５２及び通信インターフェース回路５３も接続されている。コンピュータ装置５１は、ＣＰＵ５１ａ、ＲＯＭ５１ｂ及びＲＡＭ５１ｃを有し、電子ピアノ１０の全体動作をプログラム制御するとともに、光照射装置２０もプログラム制御する。特に、本第１実施形態においては、演奏データを楽曲の進行に応じて読み出して、光照射装置２０内のＬＥＤ２４Ａ１，２４Ｂ１，２４Ｃ１，２４Ｄ１の点灯を制御する。記憶装置５２は、フラッシュメモリ、ＣＤ（コンパクトディスク）などの記録媒体と、前記記録媒体をドライブするドライブ回路とを有し、種々のプログラム及びデータを記憶している。通信インターフェース回路５３は、ＭＩＤＩインターフェース回路、インターネット接続回路などからなり、光照射装置２０及び外部装置との通信を行う。特に、通信インターフェース回路５３は、ケーブル５４を介して光照射装置２０に接続される（図７参照）。
【００４１】
次に、上記のように構成した電子ピアノ１０及び光照射装置２０の使用及び動作について説明する。まず、演奏者は、電子ピアノ１０のスライド蓋１８を上板１７の前端位置まで押し込んで、光照射装置２０を黒鍵１１ｂの上方凸部１１ｂ１の上面後端部に載置する。この光照射装置２０の載置の際には、光照射装置２０の左右方向の中央位置を鍵盤１１の左右方向の中央位置に合わせる。この場合、底プレート２６の底面部２６ａの下面をフェルト２７を介して黒鍵１１ｂの上方凸部１１ｂ１の上面後端部に載置させるとともに、底プレート２６の係合片２６ｃの前面をフェルト２７を介して黒鍵１１ｂの上方凸部１１ｂ１の後端面に当接すなわち係合させる。この状態では、分割ケース２１Ａ，２１Ｂ，２１Ｃ，２１Ｄに設けた貫通孔２１Ａ１，２１Ｂ１，２１Ｃ１，２１Ｄ１の全ての中心が、白鍵１１ｗ及び黒鍵１１ｂの幅方向中央に位置する。その後、全体制御用電気回路基板２４Ｅに設けたコネクタ２４Ｘにケーブル５４の一端を接続するとともに、ケーブル５４の他端を電子ピアノ１０に設けられて通信インターフェース回路５３に電気接続されているコネクタに接続する。これにより、図１７に示す電気回路接続が実現される。
【００４２】
次に、演奏者は、電子ピアノ１０に設けた操作子１５及び表示器１６を用いて、記憶装置５２に演奏データ（ＭＩＤＩデータ）が記憶されている楽曲のうちから所望の楽曲を選択する。所望の楽曲に関する演奏データが記憶装置５２に記憶されていない場合には、所望の楽曲に関する演奏データが記憶されているフラッシュメモリ、ＣＤなどを記憶装置５２としてセットすることも可能であるし、外部から通信インターフェース回路５３を介して所望の楽曲に関する演奏データを取得して記憶装置５２に記憶することも可能である。次に、演奏者は、楽曲の選択後に楽曲の再生開始を指示する。
【００４３】
この選択及び指示により、コンピュータ装置５１は、選択された楽曲の演奏データ（ＭＩＤＩデータ）を楽曲の進行に応じて再生し始めて、演奏データをケーブル５４及びコネクタ２４Ｘを介して、光照射装置２０の全体制御用電気回路基板２４Ｅに出力し始める。演奏データは、白鍵１１ｗ及び黒鍵１１ｂの音名を表しており、分割電気回路基板２４Ａ，２４Ｂ，２４Ｃ，２４Ｄ上のＬＥＤ２４Ａ１，２４Ｂ１，２４Ｃ１，２４Ｄ１をそれぞれ指定するためのコード化された信号である。
【００４４】
演奏データの再生（出力）においては、２つの方法が採用され得る。第１の方法は、演奏者の演奏とは無関係に、演奏データを楽曲の進行に応じて記憶装置５２から順次自動的に読み出す方法である。第２の方法は、読み出された演奏データにより表される白鍵１１ｗ又は黒鍵１１ｂが、演奏者が押鍵した白鍵１１ｗ又は黒鍵１１ｂと一致したときのみに、次の演奏データを読出す。また、一致しない場合には、次の演奏データの読出しを中断して、一致する白鍵１１ｗ又は黒鍵１１ｂの押鍵を待って、演奏データの読出しを再開する。これは、後述する白鍵１１ｗ又は黒鍵１１ｂへの光の照射は、押鍵されるべき白鍵１１ｗ又は黒鍵１１ｂを示すので、白鍵１１ｗ又は黒鍵１１ｂが正しく押鍵されるまで、楽曲の進行を停止するためである。なお、正しい押鍵は、鍵盤１１で押鍵されて鍵検出回路４１で検出された白鍵１１ｗ又は黒鍵１１ｂを表す押鍵データと、前記読み出された演奏データとの比較により判定される。このような演奏データの２つの再生方法のうちの一方を固定的に採用してもよいし、演奏者が２つの再生方法のうちの一方を選択するようにしてもよい。
【００４５】
全体制御用電気回路基板２４Ｅは、前記コード化された信号及び駆動電圧をフラットケーブル３２Ａ，３２Ｂ，３２Ｃ，３２Ｄを介して分割電気回路基板２４Ａ，２４Ｂ，２４Ｃ，２４Ｄにそれぞれ供給する。分割電気回路基板２４Ａ，２４Ｂ，２４Ｃ，２４Ｄは、供給されたコード化信号をデコードし、デコードされた信号を用いて、全体制御用電気回路基板２４Ｅから供給される駆動電圧をスイッチングしてＬＥＤ２４Ａ１，２４Ｂ１，２４Ｃ１，２４Ｄ１に供給する。これにより、演奏データに対応したＬＥＤ２４Ａ１，２４Ｂ１，２４Ｃ１，２４Ｄ１が、点灯して光を発する。この発せられた光は、分割レンズプレート２２Ａ，２２Ｂ，２２Ｃ，２２Ｄの凸レンズ２２Ａ２，２２Ｂ２，２２Ｃ２，２２Ｄ２によりほぼ平行光に変換され、変換されたほぼ平行光は分割ケース２１Ａ，２１Ｂ，２１Ｃ，２１Ｄの正面壁の前面に対して垂直方向に出射されて、鍵盤１１の左右方向に直角かつ若干下方に傾斜して出射される。
【００４６】
そして、前記ほぼ平行光は、白鍵１１ｗの上面手前位置及び黒鍵１１ｂの上方凸部１１ｂ１の上面手前位置にて、白鍵１１ｗ及び黒鍵１１ｂの幅方向中央付近にそれぞれ照射される。これにより、演奏者には、押鍵すべき白鍵１１ｗ又は黒鍵１１ｂがガイドされる。したがって、演奏者は、押鍵のガイドに従って、白鍵１１ｗ又は黒鍵１１ｂを押鍵するようにすれば、初心者でも楽曲の演奏を実現できて、教育的効果が期待される。なお、演奏者によって押鍵された白鍵１１ｗ又は黒鍵１１ｂは鍵検出回路４１により検出されて、コンピュータ装置５１のプログラム処理、音源回路４４及びＤＳＰ回路４５により、押鍵された白鍵１１ｗ又は黒鍵１１ｂに対応した楽音（ピアノ音）がサウンドシステム４６から放音される。
【００４７】
上記のように構成されるとともに使用される光照射装置２０の延設方向（左右方向）を白鍵１１ｗ及び黒鍵１１ｂの配列方向にして、底プレート２６を黒鍵１１ｂの上方凸部１１ｂ１の上面後端部に載置すれば、光照射装置２０からの光が複数の白鍵１１ｗ及び黒鍵１１ｂの上面にそれぞれ照射される。したがって、上記第１実施形態によれば、光照射装置２０が組み付けられた電子ピアノ１０を購入しなくても、現在所有している光照射装置２０を備えていない電子ピアノ１０において、押鍵のガイドのために白鍵１１ｗ及び黒鍵１１ｂに光を照射することができて便利である。また、光照射装置２０においては、裏プレート２５及び底プレート２６は薄肉の金属板であり、ケース２１、レンズプレート２２、パーテーション部材２３、電気回路基板２４などは樹脂製であり、かつフェルト２７も薄板状であるので、光照射装置２０は軽量であり、黒鍵１１ｂが光照射装置２０に押されて下方に移動することはない。
【００４８】
また、底プレート２６には、後端の少なくとも一部から下方に突出させて、底プレート２６の底面部２６ａを黒鍵１１ｂの上方凸部１１ｂ１の上面後端部に載置した状態で、上方凸部１１ｂ１の後面に係合する平板状の係合片２６ｃが設けられている。そして、底プレート２６の底面部２６ａの下面の一部及び係合片２６ｃの前面には、平板状のクッション部材であるフェルト２７が設けられている。したがって、底プレート２６の底面部２６ａをフェルト２７を介して黒鍵１１ｂの上方凸部１１ｂ１の上面後端部に載置するとともに、係合片２６ｃをフェルト２７を介して黒鍵１１ｂの上方凸部１１ｂ１の後面に係合させれば、光照射装置２０を黒鍵１１ｂの上方凸部１１ｂ１上の適切な位置に安定して位置させることができる。
【００４９】
また、フェルト２７と左右方向位置を同じとする黒鍵１１ｂが押されて、黒鍵１１ｂの上方凸部１１ｂ１の後端部が上下方向及び前後方向に移動しても、黒鍵１１ｂの上方凸部１１ｂ１の上面と底プレート２６の底面部２６ａの下面との衝突、及び黒鍵１１ｂの上方凸部１１ｂ１の後面と底プレート２６の係合片２６ｃの前面との衝突による異音が発生しなくなるとともに、前記衝突による光照射装置の上下振動及び前後振動が抑制される。また、フェルト２７が設けられていない位置の黒鍵１１ｂが押鍵されても、押鍵された黒鍵１１ｂの上方凸部１１ｂ１の上面と底プレート２６の底面部２６ａの下面との間、及び黒鍵１１ｂの上方凸部１１ｂ１の後面と底プレート２６の係合片２６ｃの前面との間には、フェルト２７による空間が存在するので、押鍵された黒鍵１１ｂが元の位置に復帰する際に上下方向及び前後方向に多少振動しても、黒鍵１１ｂの上方凸部１１ｂ１が底プレート２６に接触して異音を発生することもない。
【００５０】
さらに、上記第１実施形態においては、分割ケース２１Ａ，２１Ｂ，２１Ｃ，２１Ｄの下面壁及び上面壁が、正面壁の下端及び上端に対して後方に向かうに従って外側に広がるように傾斜している。したがって、底プレート２６の底面部２６ａを黒鍵１１ｂの上方凸部１１ｂ１の上面後端部に載置した状態では、分割ケース２１Ａ，２１Ｂ，２１Ｃ，２１Ｄの上部が前側に傾く。そして、分割ケース２１Ａの上方突出部２１Ａupには、全体制御用電気回路基板２４Ｅ及びコネクタ２４Ｅ１，２４Ｅ２，２４Ｅ３，２４Ｅ４が設けられている。これにより、分割ケース２１Ａの上方突出部２１Ａup位置の下方への重量が他の部分よりも増加して、上方突出部２１Ａupは前側に大きく傾く傾向にある。しかし、底プレート２６の底面部２６ａにおける前記上方突出部２１Ａupに対応する位置には、他の部分よりも前方に突出した幅広部２６ａ１が設けられている。その結果、上記第１実施形態によれば、幅広部２６ａ１により、光照射装置２０は、前側に大きく傾くことなく、黒鍵１１ｂの上方凸部１１ｂ１の後端部上に安定して載置される。また、底プレート２６の底面部２６ａにおける左右方向の一部のみの前後幅を大きくしただけであるので、光照射装置２０の全体重量をそれ程大きくすることはなく、黒鍵１１ｂを下方に移動させることもない。
【００５１】
ｂ．第２実施形態
次に、本発明の第２実施形態に係る光照射装置２０について図面を用いて説明する。図１８は、電子ピアノ１０の高音側の１オクターブ程度を拡大して示すとともに、第２実施形態に係る光照射装置２０を上下方向の中間位置にて横断して示す平面図であり、上記第１実施形態の図３に対応している。図１９は、図１８の枠IX内の拡大図であり、上記第１実施形態の図４に対応している。図２０は、図１８のＸ−Ｘ線に沿って見た電子ピアノ１０の後部を除く概略縦断面図であり、上記第１実施形態の図５に対応している。図２１は、図２０の枠Ｉ内の拡大図であり、上記第１実施形態の図６に対応している。図２２は、図１８乃至図２１に示すようにプリズムを組み付けて構成した場合の光照射装置２０における光の進路を説明するための説明図である。
【００５２】
この第２実施形態に係る光照射装置２０は、左右一対のプリズムプレートを備えている点で上記第１実施形態の光照射装置２０とは異なるのみで、他の構成については上記第１実施形態の光照射装置２０と同じ構成である。したがって、左右一対のプリズムプレートについてのみ説明し、他の部分に関しては上記第１実施形態の場合と同じ符号を付してそれらの説明を省略する。なお、図１８乃至図２２のプリズムプレート６１は光照射装置２０の右側に位置するものを示しており、光照射装置２０の左側に位置するプリズムプレートは図示省略されている。
【００５３】
プリズムプレート６１について説明する前に、プリズムプレート６１の必要性について説明しておく。本第２実施形態に係る光照射装置２０の左右方向の長さは、左右方向の長さが比較的短い鍵盤１１に設定されているものとする。なお、鍵盤楽器においては、白鍵１１ｗ及び黒鍵１１ｂの数が同じであっても、機種が異なる場合には、鍵盤１１の左右方向の長さが常に一定ではなく、若干異なる場合がある。光照射装置２０を黒鍵１１ｂの上方凸部１１ｂ１の上面後端部に載置する場合、鍵盤１１の左右方向の長さが前記のように比較的短ければ、光照射装置２０の左右方向の中央位置を鍵盤１１の左右方向の中央位置に合わせる。これにより、上記第１実施形態の場合のように、ＬＥＤ２４Ａ１，２４Ｂ１，２４Ｃ１，２４Ｄ１及び凸レンズ２２Ａ２，２２Ｂ２，２２Ｃ２，２２Ｄ２の左右方向の中央位置は、白鍵１１ｗ及び黒鍵１１ｂの幅方向中央位置とそれぞれ一致する。
【００５４】
しかし、前述した光照射装置２０を、左右方向の長さが比較的長い鍵盤１１の黒鍵１１ｂの上方凸部１１ｂ１の上面後端部上に載置する場合、ＬＥＤ２４Ａ１，２４Ｂ１，２４Ｃ１，２４Ｄ１及び凸レンズ２２Ａ２，２２Ｂ２，２２Ｃ２，２２Ｄ２の左右方向の中央位置が、白鍵１１ｗ及び黒鍵１１ｂの一部において、それらの幅方向中央位置と一致しない場合が生じる。本第２実施形態でも同じであるが、上記第１実施形態の場合と同様に、光照射装置２０を、その左右方向の中央位置を鍵盤１１の左右方向の中央位置に合わせて、黒鍵１１ｂの上方凸部１１ｂ１の上面後端部上に載置する。この状態では、光照射装置２０の左右方向の中央付近におけるＬＥＤ２４Ｂ１，２４Ｃ１及び凸レンズ２２Ｂ２，２２Ｃ２の左右方向の中央位置は、白鍵１１ｗ及び黒鍵１１ｂの幅方向中央位置とそれぞれほぼ一致する。すなわち、図２３（Ａ）に示すように、光照射装置２０の左右方向の中央付近におけるＬＥＤ２４Ｂ１，２４Ｃ１及び凸レンズ２２Ｂ２，２２Ｃ２の左右方向の中心線ＣＬ１は、白鍵１１ｗ及び黒鍵１１ｂの幅方向の中心線ＣＬ２のほぼ延長上に位置する。しかし、図２３（Ｂ）に示すように、光照射装置２０の右側部分におけるＬＥＤ２４Ａ１及び凸レンズ２２Ａ２の左右方向の中心線ＣＬ１は、白鍵１１ｗ及び黒鍵１１ｂの幅方向の中心線ＣＬ２よりも左側に位置することになる。また、光照射装置２０の左側部分におけるＬＥＤ２４Ｄ１及び凸レンズ２２Ｄ２の左右方向の中心線は、図示しないが、前記右側部分の場合とは逆に、白鍵１１ｗ及び黒鍵１１ｂの幅方向の中心線よりも右側に位置することになる。したがって、この場合には、鍵盤１１の左右方向の中央付近の白鍵１１ｗ及び黒鍵１１ｂには、それらの幅方向中央付近にほぼ平行光が照射されるが、鍵盤１１の右側部分の白鍵１１ｗ及び黒鍵１１ｂには、それらの幅方向中央付近よりも左側にほぼ平行光が照射されてしまう。また、鍵盤１１の左側部分の白鍵１１ｗ及び黒鍵１１ｂには、それらの幅方向中央付近よりも右側にほぼ平行光が照射されてしまう。したがって、これを避けて、鍵盤１１の右側部分及び左側部分の白鍵１１ｗ及び黒鍵１１ｂにも、それらの幅方向中央付近にほぼ平行光が照射されるように、ほぼ平行光を右方及び左方にそれぞれ傾けるわけである。
【００５５】
そのために、本第２実施形態ではプリズムプレート６１が用いられている。なお、図１８及び図１９は、前述のように、上記第１実施形態の図３及び図４に対応しているが、鍵盤１１の右側端部近傍位置を示している。そして、光照射装置２０は左右方向の長さが比較的長い鍵盤１１の黒鍵１１ｂの上方凸部１１ｂ１の上面後端部上に載置されているので、光照射装置２０に含まれるＬＥＤ２４Ａ１、凸レンズ２２Ａ２などは、図３及び図４に比べて左方にずれている。
【００５６】
右側のプリズムプレート６１について説明すると、プリズムプレート６１は、透光性を有する無色の樹脂により一体形成され、左右方向に長尺状かつ平板状に形成されている。プリズムプレート６１の左右方向の長さは、本第２実施形態では、２オクターブ程度分の白鍵１１ｗ及び黒鍵１１ｂの左右方向の長さにほぼ等しい。なお、この２オクターブ程度は一例であり、２オクターブより大きくても小さくてもよい。プリズムプレート６１の上下方向の長さは分割ケース２１Ａ，２１Ｂ，２１Ｃ，２１Ｄの正面壁の上下方向の長さよりも短く、前記正面壁に設けた貫通孔２１Ａ１，２１Ｂ１，２１Ｃ１，２１Ｄ１の直径よりも長い。このプリズムプレート６１は、ケース２１の正面壁の右側端部の前面、すなわち分割ケース２１Ａの正面壁の右端の前面から分割ケース２１Ｂの正面壁の右側部分の前面までに渡って固定される。固定方法としては、図示省略しているが、例えば、分割ケース２１Ａ，２１Ｂの正面壁に内部に雌ねじを形成した複数のねじ孔を設けるとともに、プリズムプレート６１に複数の貫通孔を設けておき、雄ねじを貫通孔に貫通させた後に前記正面壁に設けたねじ孔に螺合させて、前記正面壁の前面に固定するようにする。これによれば、プリズムプレート６１は分割ケース２１Ａ，２１Ｂの正面壁の前面に着脱可能に組み付けられる。
【００５７】
なお、プリズムプレート６１の固定方法は次のような方法でもよい。プリズムプレート６１の後面から弾性変形する複数の係止片を突出させるとともに、分割ケース２１Ａ，２１Ｂの正面壁に前記係止片を貫通させる貫通孔を設けておく。そして、係止片を貫通孔に貫通させて係合させ、係止片の弾性力によりプリズムプレート６１を前記正面壁の前面側に固定する。この場合、係止片の貫通孔に対する係合を解除して、プリズムプレート６１を前記正面壁から取り外すことができる。また、両面接着テープを用いて、プリズムプレート６１の裏面を分割ケース２１Ａ，２１Ｂの正面壁の前面に固着して、プリズムプレート６１を前記正面壁に着脱可能に組み付けるようにしてもよい。さらに、プリズムプレート６１は分割ケース２１Ａ，２１Ｂの正面壁の前面に着脱不能に固定してもよい場合には、接着剤を用いて、プリズムプレート６１の裏面を前記正面壁の前面に固着するようにしてもよい。
【００５８】
プリズムプレート６１には、プリズムプレート６１を分割ケース２１Ａ，２１Ｂの正面壁に組付け固定した状態で、貫通孔２１Ａ１，２１Ｂ１すなわち凸レンズ２２Ａ２，２２Ｂ２に対向する複数の位置に、プリズム６１ａがそれぞれ形成されている。複数のプリズム６１ａは、本第２実施形態では、前後方向の厚さが左端から右端に向けて大きくなるように、プリズム６１ａの後側面を傾斜させて、ほぼ平行光の進行方向を右方に若干ずらすように構成されている。すなわち、第１実施形態の光照射装置２０のようにプリズムプレート６１を有さない光照射装置２０におけるほぼ平行光は、上述したように分割ケース２１Ａ，２１Ｂの正面壁に直交する方向、すなわち鍵盤１１の左右方向に対して直角方向（図２２のＬ１方向）に出射される。しかし、プリズムプレート６１を設けると、ほぼ平行光の進行方向はＬ１方向に対して右方に若干傾いて図２２のＬ２方向となる。なお、プリズム６１ａの後側面でなく前側面を傾斜させてもよいし、後側面と前側面の両方を傾斜させてもよい。
【００５９】
この場合におけるほぼ平行光の右方へのずらし量を右側のプリズム６１ａほど大きくするように、プリズム６１ａにおける右端と左端との前後方向の厚さの差を右側に位置するプリズム６１ａほど大きくなるようにするとよい。しかし、鍵盤１１の左右方向の長さは機種によってそれほど大きく異ならないので、プリズム６１ａにおける右端と左端との前後方向の厚さの差をプリズム６１ａごとに変えなくても、複数のプリズム６１ａからなるグループ単位で異ならせたり、全て同じにしたりしでもよい。また、鍵盤１１の左右方向の長さは機種によってそれほど大きく異ならないために、鍵盤１１の左右方向における中央付近の白鍵１１ｗ及び黒鍵１１ｂに対応した位置にはプリズムプレート６１を設けなくても、白鍵１１ｗ及び黒鍵１１ｂの左右方向における中央付近にほぼ平行光が照射される。これが、プリズムプレート６１の左右方向の長さを、本第２実施形態では、２オクターブ程度分の白鍵１１ｗ及び黒鍵１１ｂの左右方向の長さに設定して、プリズムプレート６１を分割ケース２１Ａ，２１Ｂの正面壁の前面に固定した理由である。
【００６０】
左側のプリズムプレートも、右側のプリズムプレート６１と同様に構成されているが、ケース２１の正面壁の左側端部の前面に、すなわち分割ケース２１Ｄの正面壁の左端の前面から分割ケース２１Ｃの正面壁の左側部分の前面までに渡って固定される。固定方法も、右側のプリズムプレート６１と同じである。そして、左側のプリズムプレートにも、プリズムプレートを分割ケース２１Ｃ，２１Ｄの正面壁に組付け固定した状態で、貫通孔２１Ｃ１，２１Ｄ１すなわち凸レンズ２２Ｃ２，２２Ｄ２に対向する複数の位置に、プリズムがそれぞれ形成されている。これらの複数のプリズムは、右側のプリズムプレート６１に設けたプリズム６１ａとは異なり、ほぼ平行光の進行方向を左方に若干ずらすように、前後方向の厚さが右端から左端に向けて大きくなるように構成されている。すなわち、左側のプリズムプレートは右側のプリズムプレート６１と左右対称に構成されている。これは、前述のように、第１実施形態の光照射装置２０のように左側のプリズムプレートを有さない光照射装置２０におけるほぼ平行光は、鍵盤１１の左側部分の白鍵１１ｗ及び黒鍵１１ｂには、それらの幅方向中央付近よりも右側に照射されるからである。また、これらの複数のプリズムにおいても、各プリズムのほぼ平行光の左方へのずらし量に関しては、右側のプリズム６１ａと同様に、各プリズムごとに異ならせたり、グループ単位で異ならせたり、全て同じでもよい。
【００６１】
この第２実施形態においては、鍵盤間口（複数の鍵の左右両端間の距離）が異なる複数の機種に対して、一つの機種の鍵盤間口に合わせて上記第１実施形態のようなプリズムプレート６１を組み付けない状態の光照射装置２０を用意しておく。例えば、前述したように、鍵盤間口が小さい機種に対して光照射装置２０を用意しておき、光照射装置２０からの光が全ての白鍵１１ｗ及び黒鍵１１ｂの幅方向中央位置に照射されるようにしておく。そして、前記一つの機種の鍵盤間口より大きな鍵盤間口を有する異なる他の機種に対しては、上記第２実施形態のような左右一対のプリズムプレート６１を固定した光照射装置２０を黒鍵１１ｂの上面後端部に第１実施形態のように載置する。この場合も、光照射装置２０の左右方向における中央位置を鍵盤１１の左右方向における中央位置に合わせる。そして、上記第１実施形態の場合と同様に、光照射装置２０を作動させる。
【００６２】
この光照射装置２０の作動により、鍵盤１１の左右方向の中央付近に位置するＬＥＤ２４Ｂ１，２４Ｃ１からの光は、凸レンズ２２Ｂ２，２２Ｃ２によってほぼ平行光に変換されて直進し、図２３（Ａ）の矢印で示すように、白鍵１１ｗ及び黒鍵１１ｂの幅方向のほぼ中央位置に照射される。また、鍵盤１１の右側部分に位置するＬＥＤ２４Ａ１，２４Ｂ１からの光は、凸レンズ２２Ａ２，２２Ｂ２によってほぼ平行光に変換された後、図２３（Ｂ）の矢印で示すように、プリズム６１ａによって右方向に曲げられて、白鍵１１ｗ及び黒鍵１１ｂの幅方向のほぼ中央位置に照射される。さらに、また、鍵盤１１の左側部分に位置するＬＥＤ２４Ｃ１，２４Ｄ１からの光は、凸レンズ２２Ｃ２，２２Ｄ２によってほぼ平行光に変換された後、プリズムによって左方向に曲げられて、白鍵１１ｗ及び黒鍵１１ｂの幅方向のほぼ中央位置に照射される。その結果、光照射装置２０からの光は全ての白鍵１１ｗ及び黒鍵１１ｂの幅方向のほぼ中央位置に照射されて、光による演奏ガイドが適切となる。
【００６３】
また、光照射装置２０はユニット化されており、プリズムプレート６１を設けていない状態の一種類の光照射装置２０を製造しておけばよいので、光照射装置２０の製造コストを抑えることもできる。また、プリズムプレート６１以外の光照射装置２０の構成は、上記第１実施形態の場合と同様であるので、上述した上記第１実施形態の効果も期待される。
【００６４】
ｂ１．第２実施形態の変形例
上記第２実施形態に係る光照射装置２０では、左右両側に位置する凸レンズ２２Ａ２，２２Ｂ２，２２Ｃ２，２２Ｄ２からのほぼ平行光の進行方向を左右外側に曲げるようにした。しかし、これに代えて、光照射装置２０の左右両側に位置する凸レンズ２２Ａ２，２２Ｂ２，２２Ｃ２，２２Ｄ２からのほぼ平行光の進行方向を左右内側に曲げるように光照射装置２０を構成するようにしてもよい。この場合、右側のプリズムプレートの各プリズムにおける前後方向の厚さが、前記第２実施形態の場合とは逆に、右端から左端に向けて大きくなるように、プリズムの後側面を傾斜させる。なお、この場合も、プリズムの後側面でなく、前側面を傾斜させてよいし、後側面と前側面の両方を傾斜させてもよい。一方、左側のプリズムプレートの各プリズムにおける前後方向の厚さは、左端から右端に向けて大きくなるようにする。この場合にも、右側のプリズムプレートと左側のプリズムプレートとは左右対称である。また、この場合のプリズムプレートの固定方法も、上記第２実施形態の場合と同じである。
【００６５】
また、この場合には、鍵盤間口が大きな機種に対して光照射装置２０を用意して、光照射装置２０からの光が複数の白鍵１１ｗ及び黒鍵１１ｂの幅方向中央位置に照射されるようにしておく。そして、鍵盤間口が小さな機種に対しては、前記右側及び左側のプリズムプレートを固定した光照射装置２０を黒鍵１１ｂにおける上方凸部１１ｂ１の上面後端部に、第２実施形態のように、光照射装置２０の左右方向における中央位置を鍵盤１１の左右方向における中央位置に合わせて載置する。その結果、この場合には、前記右側及び左側のプリズムプレートのプリズムにより、光照射装置２０の右側及び左側に位置する凸レンズ２２Ａ２，２２Ｂ２，２２Ｃ２，２２Ｄ２からのほぼ平行光の進行方向が左右方向内側に曲げられる。したがって、この変形例においても、光照射装置２０からの光は複数の白鍵１１ｗ及び黒鍵１１ｂの幅方向ほぼ中央位置に照射されるようになり、光による演奏のガイドが適切に行われる。
【００６６】
上記第２実施形態及び前記変形例では、プリズムプレート６１を備えていない光照射装置２０を用いると、全ての白鍵１１ｗ及び黒鍵１１ｂの幅方向中央位置に光が照射されない鍵盤間口の異なる機種に対しても、右側のプリズムプレート６１及び左側のプリズムプレートを組み付けた光照射装置２０を、その左右方向の中央位置と鍵盤１１における左右方向の中央位置とを合わせて、黒鍵１１ｂの上方凸部１１ｂ１の上面後端部に載置するようにした。そして、ケース２１（分割ケース２１Ａ，２１Ｂ，２１Ｃ，２１Ｄ）の正面壁の前面における中央部分を除く部分に、右側のプリズムプレート６１と左側のプリズムプレートを組み付けるようにした。
【００６７】
しかし、これに代えて、前記のような鍵盤間口が異なる機種に対しては、プリズムプレートを組み付けた光照射装置２０を、その左端を鍵盤１１の左端に合わせて黒鍵１１ｂの上方凸部１１ｂ１の上面後端部に載置したり、その右端を鍵盤１１の右端に合わせて黒鍵１１ｂの上方凸部１１ｂ１の上面後端部に載置したりすることも考えられる。しかし、プリズムプレートを組み付けてない光照射装置２０を、その左端を鍵盤１１の左端に合わせた場合には、鍵盤１１における左側部分の白鍵１１ｗ及び黒鍵１１ｂには幅方向ほぼ中央位置に光が照射されるが、鍵盤１１における右側部分の白鍵１１ｗ及び黒鍵１１ｂにはそれらの幅方向中央位置ではなく、前記中央位置よりも左側に光が照射されようになる。そのため、この場合には、光照射装置２０の分割ケース２１Ａ，２１Ｂ，２１Ｃ，２１Ｄの右側部分の正面壁に右側に光を曲げる複数のプリズムを備えたプリズムプレートを設けるようにするとよい。また、プリズムプレートを組み付けてない光照射装置２０を、その右端を鍵盤１１の右端に合わせた場合には、鍵盤１１における右側部分の白鍵１１ｗ及び黒鍵１１ｂには幅方向ほぼ中央位置に光が照射されるが、鍵盤１１における左側部分の白鍵１１ｗ及び黒鍵１１ｂにはそれらの幅方向中央位置ではなく、前記中央位置よりも右側に光が照射されようになる。そのため、この場合には、光照射装置２０の分割ケース２１Ａ，２１Ｂ，２１Ｃ，２１Ｄの左側部分の正面壁に左側に光を曲げる複数のプリズムを備えたプリズムプレートを設けるとよい。なお、この場合のプリズムプレートの固定方法は、上記第２実施形態の場合と同じである。
【００６８】
また、上記第２実施形態に係るプリズム６１ａ及び前記変形例に係るプリズムの後側面（又は前側面）の左右方向の傾斜角度を種々に変更した複数種類のプリズムプレートを用意しておけば、種々の鍵盤間口を有する機種にも的確に対応できる。プリズムプレートの固定方法などの他の構成に関しては上記第２実施形態の場合と同じであり、上記第２実施形態における変形も本変形例には適用される。
【００６９】
ｃ．第３実施形態  
次に、本発明の第３実施形態に係る光照射装置２０について図面を用いて説明する。図２４は、第３実施形態に係る光照射装置２０の上記第２実施形態の図２１に対応した拡大図である。
【００７０】
この第３施形態に係る光照射装置２０は、ほぼ平行光の進行方向を上下方向にずらすようにしたものである。この場合も、プリズムプレート６２は、透光性を有する無色の樹脂により一体形成され、左右方向に長尺状かつ平板状に形成されている。ただし、この場合には、全ての白鍵１１ｗ及び黒鍵１１ｂに対応した凸レンズ２２Ａ２，２２Ｂ２，２２Ｃ２，２２Ｄ２からのほぼ平行光を上下方向にずらすので、分割ケース２１Ａ，２１Ｂ，２１Ｃ，２１Ｄを左右方向に並べた状態におけるケース２１の全体の左右方向の長さを、複数に分割した長さをそれぞれ有する複数のプリズムプレート６２を備えている。例えば、４つのプリズムプレート６２を用い、各プリズムプレート６２の左右方向の長さを各分割ケース２１Ａ，２１Ｂ，２１Ｃ，２１Ｄの左右方向の長さと一致させる。なお、４つ以外のプリズムプレート６２を用いてもよい。プリズムプレート６２の上下方向の長さは、上記第２実施形態のプリズムプレート６１の上下方向の長さと同じである。このプリズムプレート６２における分割ケース２１Ａ，２１Ｂ，２１Ｃ，２１Ｄの正面壁の前面への組み付け方法は、上記第２実施形態及びその変形例と同様な方法を用いるとよい。
【００７１】
このプリズムプレート６２にも、プリズムプレート６２を分割ケース２１Ａ，２１Ｂ，２１Ｃ，２１Ｄの正面壁に組付け固定した状態で、貫通孔２１Ａ１，２１Ｂ１，２１Ｃ１，２１Ｄ１すなわち凸レンズ２２Ａ２，２２Ｂ２，２２Ｃ２，２２Ｄ２に対向する複数の位置に、プリズム６２ａがそれぞれ形成されている。複数のプリズム６２ａは、本第３実施形態では、上下方向の厚さが上端から下端に向けて大きくなるように、プリズム６２ａの後側面を傾斜させて、ほぼ平行光の進行方向を下方に若干ずらすように構成されている。すなわち、第１実施形態の光照射装置２０のようにプリズムプレート６２を有さない光照射装置２０におけるほぼ平行光は、上述したように分割ケース２１Ａ、２１Ｂ１．２１Ｃ１．２１Ｄ１の正面壁に直交する方向（図２４のＬ１方向）に出射される。しかし、プリズムプレート６２を設けると、ほぼ平行光の進行方向は、Ｌ１方向に対して下方に若干傾いて図２４のＬ３方向となる。この場合には、全てのプリズム６２ａが、ほぼ平行光の進行方向を同一量だけ下方にずらす。なお、この場合も、プリズム６２ａの後側面でなく、前側面を傾斜させるようにしてもよいし、後側面と前側面の両方を傾斜させてもよい。
【００７２】
この第３実施形態においても、上記第１実施形態のようなプリズムプレート６２を備えていない状態の光照射装置２０を用意しておく。この光照射装置２０によれば、ほぼ平行光は白鍵１１ｗ及び黒鍵１１ｂの前後方向における予め決められた所定位置に照射される。なお、この第３実施形態では、上記第２実施形態のように鍵盤間口（複数の鍵の左右両端間の距離）が異なる複数の機種に対する適用を考えていないので、ほぼ平行光は白鍵１１ｗ及び黒鍵１１ｂの幅方向中央位置に照射される。
【００７３】
このようなプリズムプレート６２を組み付けない状態にある光照射装置２０に対して、分割ケース２１Ａ，２１Ｂ，２１Ｃ，２１Ｄの正面壁の前面に、前述したようにプリズムプレート６２を組み付ける。プリズムプレート６２の組み付け方法は、上記第２実施形態の場合と同じである。これにより、プリズムプレート６２を組み付けない状態の光照射装置２０によって白鍵１１ｗ及び黒鍵１１ｂの上面に照射される光の位置が後方にずれる。したがって、上記第３実施形態によれば、プリズムプレート６２を組み付けない光照射装置２０と、プリズムプレート６２とを用意しておくだけで、プリズムプレート６２を光照射装置２０に組み付けたり、組み付けなかったりすることで、演奏者の好みにより、白鍵１１ｗ及び黒鍵１１ｂの上面において光が照射される前後位置を変更することができる。また、プリズムプレート６２以外の光照射装置２０の構成は、上記第１実施形態の場合と同様であるので、上述した上記第１実施形態の効果も期待される。
【００７４】
ｃ１．第３実施形態の変形例
上記第３実施形態に係る光照射装置２０では、凸レンズ２２Ａ２，２２Ｂ２，２２Ｃ２，２２Ｄ２からのほぼ平行光の進行方向を下方向であるＬ３方向に曲げるようにした。しかし、これに加えて、プリズム６２ａの後側面（又は前側面）の上下方向の傾斜角度を種々に変更した複数種類のプリズムプレートを用意しておけば、白鍵１１ｗ及び黒鍵１１ｂの上面において光が照射される前後位置を種々に選択でき、演奏者の好みにより対応できる。また、白鍵１１ｗに対応したプリズム６２ａの上下方向の傾斜角度と、黒鍵１１ｂに対応したプリズム６２ａの上下方向の傾斜角度とを異ならせることも可能である。さらに、上記第３実施形態及びその変形例のように上下方向に傾斜させたプリズム６２ａに対して、上記第２実施形態及びその変形例のようにプリズムを左右方向にも傾斜させるようにしてもよい。これによれば、鍵盤間口の異なる機種に対しても光を白鍵１１ｗ及び黒鍵１１ｂに的確に照射させることができるとともに、演奏者の好みに応じて白鍵１１ｗ及び黒鍵１１ｂの上面において光が照射される前後位置も変更することができる。
【００７５】
また、この場合も、光照射装置２０はユニット化されており、プリズムプレート６２を設けていない状態の一種類の光照射装置２０を製造しておけばよいので、光照射装置２０の製造コストを抑えることもできる。また、プリズムプレート６２の固定方法などの他の構成に関しては上記第２及び第３実施形態と同じであり、上記第２及び第３実施形態における変形も本変形例に適用される。
【００７６】
ｄ．その他の変形例
なお、本発明に係る光照射装置は、上記第１乃至第３実施形態及びそれらの変形例に限定されるものではなく、適宜変更して実施することが可能である。
【００７７】
上記第１乃至第３実施形態及びそれらの変形例では、白鍵１１ｗに対して緑色の光を照射し、黒鍵１１ｂに対して赤色の光を照射するようにした。しかし、これに代えて、緑色及び赤色とは異なる２種類の色の光を白鍵１１ｗ及び黒鍵１１ｂに対してそれぞれ照射するようにしてもよいし、同一色の光を白鍵１１ｗ及び黒鍵１１ｂに対して照射するようにしてもよい。この場合、上記第１乃至第３実施形態とは発光色の異なるＬＥＤ２４Ａ１，２４Ｂ１，２４Ｃ１，２４Ｄ１を採用するようにすればよい。また、ＬＥＤ２４Ａ１，２４Ｂ１，２４Ｃ１，２４Ｄ１には白色光を発せさせ、分割レンズプレート２２Ａ，２２Ｂ，２２Ｃ，２２Ｄに色を付して、白鍵１１ｗ及び黒鍵１１ｂに照射される光の色を制御するようにしてもよい。また、発光素子としてＬＥＤ２４Ａ１，２４Ｂ１，２４Ｃ１，２４Ｄ１を用いるようにしたが、光を発するものであれば、ＬＥＤ以外の発光素子を用いることもできる。
【００７８】
また、白鍵１１ｗ及び黒鍵１１ｂの照射光の色を変えるのでなく、鍵盤１１を押鍵すべき指に応じて白鍵１１ｗ及び黒鍵１１ｂの照射光の色を変えるようにしてもよい。この場合、緑色光及び赤色光を発するＬＥＤ２４Ａ１，２４Ｂ１，２４Ｃ１，２４Ｄ１に代えて、複数の異なる色の光を発することが可能な発光素子を用い、再生する楽曲の演奏データ中に指又は色の情報を含ませておき、発光素子から発せられる色を押鍵すべき指に応じて変更制御するようにする。
【００７９】
上記第１乃至第３実施形態及びそれらの変形例では、フラットケーブル３２Ａ，３２Ｂ，３２Ｃ，３２Ｄを用いて、全体制御用電気回路基板２４Ｅと、分割電気回路基板２４Ａ，２４Ｂ，２４Ｃ，２４Ｄとをそれぞれ独立に電気接続するようにした。しかし、これに代えて、分割電気回路基板２４Ａ，２４Ｂにそれらを電気接続するためのコネクタをそれぞれ設け、分割電気回路基板２４Ｂ，２４Ｃにそれらを電気接続するためのコネクタをそれぞれ設け、かつ分割電気回路基板２４Ｃ，２４Ｄにそれらを電気接続するためのコネクタをそれぞれ設けておき、分割電気回路基板２４Ｂ，２４Ｃ間、分割電気回路基板２４Ｂ，２４Ｃ間及び分割電気回路基板２４Ｃ，２４Ｄ間をそれぞれフラットケーブルで電気接続して、全体制御用電気回路基板２４Ｅからの電気信号を分割電気回路基板２４Ｂ，２４Ｃ，２４Ｄにそれぞれ送るようにしてもよい。また、フラットケーブルでなくても、他の導線群を用いて、全体制御用電気回路基板２４Ｅと分割電気回路基板２４Ａ，２４Ｂ，２４Ｃ，２４Ｄとをそれぞれ電気接続するようにしてもよい。
【００８０】
上記第１乃至第３実施形態及びそれらの変形例では、底プレート２６の左右方向の２箇所に係合片２６ｂ，２６ｃを設け、２枚のクッション部材であるフェルト２７を底面部２６ａの下面、係合片２６ｃの前面及び後面、並びに係合片２６ｂの裏面に設けるようにした。しかし、これに代えて、底プレート２６の左右方向の３箇所以上に係合片２６ｂ，２６ｃと同様な係合片を設けるようにしてもよい。この場合、フェルト２７を全ての係合片に設けてもよいし、フェルト２７を２箇所以上の一部の係合片のみに設けるようにしてもよい。また、フェルト２７は、黒鍵１１ｂの後部上面及び後面と、底プレート２６の底面部２６ａの下面及び係合片２６ｃの前面との間の緩衝機能を有するものであるので、フェルト２７を少なくとも底面部２６ａの下面と係合片２６ｃの前面に設ければよい。
【００８１】
上記第１乃至第３実施形態及びそれらの変形例では、分割ケース２１Ａに上方突出部２１Ａupを設けて、全体制御用電気回路基板２４Ｅを配置するようにした。しかし、これに代えて、分割電気回路基板２４Ａに全体制御用電気回路基板２４Ｅと同様な電気回路を配置することができれば、上方突出部２１Ａupをなくすることができる。これによれば、上方突出部２１Ａupによる下方への重量を少なくすることができて、底プレート２６に幅広部２６ａ１を設ける必要がなくなる。
【００８２】
上記第１乃至第３実施形態及びそれらの変形例では、ケース２１を４つの分割ケース２１Ａ，２１Ｂ，２１Ｃ，２１Ｄに分割し、レンズプレート２２を４つの分割レンズプレート２２Ａ，２２Ｂ，２２Ｃ，２２Ｄに分割し、パーテーション部材２３を４つの分割パーテーション部材２３Ａ，２３Ｂ，２３Ｃ，２３Ｄに分割し、かつ電気回路基板２４を４つの分割電気回路基板２４Ａ，２４Ｂ，２４Ｃ，２４Ｄに分割するようにした。しかし、これらの分割数は、４つ以外の他の分割数でもよい。
【００８３】
上記第１乃至第３実施形態及びそれらの変形例では、本発明に係る光照射装置２０を「８８」個の鍵を有する電子ピアノに適用したが、本発明に係る光照射装置２０は、鍵盤１１を有する電子オルガン、シンセサイザなどのような電子鍵盤楽器にも適用可能であるし、鍵数が例えば「６１」、「３７」である「８８」以外の電子鍵盤楽器にも適用可能である。この場合、電子鍵盤楽器の鍵盤間口に応じて光照射装置の左右方向の長さを設定するとよい。また、本発明に係る光照射装置２０は、自然楽器であるピアノのような電子鍵盤楽器以外の鍵盤楽器にも適用され得る。この場合、演奏データの再生が鍵盤楽器内で不能であるので、自動演奏制御用の電気制御装置を別途用意して、ケーブル５４を介して電気制御装置を全体制御用電気回路基板２４Ｅに電気接続するとよい。また、このような電気制御装置は、電子鍵盤楽器にも適用できる。
【符号の説明】
【００８４】
１０…電子ピアノ、１１…鍵盤、１１ｗ…白鍵、１１ｂ…黒鍵、１１ｂ１…上方凸部、２０…光照射装置、２１…ケース、２１Ａ，２１Ｂ，２１Ｃ，２１Ｄ…分割ケース、２２…レンズプレート、２２Ａ，２２Ｂ，２２Ｃ，２２Ｄ…分割レンズプレート、２３…パーテーション部材、２３Ａ，２３Ｂ，２３Ｃ，２３Ｄ…分割パーテーション部材、２４…電気回路基板、２４Ａ，２４Ｂ，２４Ｃ，２４Ｄ…分割電気回路基板、２４Ｅ…全体制御用電気回路基板、２５…裏プレート、２６…底プレート、２７…フェルト、３２Ａ，３２Ｂ，３２Ｃ，３２Ｄ…フラットケーブル、５１…コンピュータ装置、５２…記憶装置、５３…通信インターフェース回路、５４…ケーブル、６１，６２…プリズムプレート、６１ａ，６２ａ…プリズム
【図１】
2017122788.tif 000003
【図２】
2017122788.tif 000004
【図３】
2017122788.tif 000005
【図４】
2017122788.tif 000006
【図５】
2017122788.tif 000007
【図６】
2017122788.tif 000008
【図７】
2017122788.tif 000009
【図８】
2017122788.tif 000010
【図９】
2017122788.tif 000011
【図１０】
2017122788.tif 000012
【図１１】
2017122788.tif 000013
【図１２】
2017122788.tif 000014
【図１３】
2017122788.tif 000015
【図１４】
2017122788.tif 000016
【図１５】
2017122788.tif 000017
【図１６】
2017122788.tif 000018
【図１７】
2017122788.tif 000019
【図１８】
2017122788.tif 000020
【図１９】
2017122788.tif 000021
【図２０】
2017122788.tif 000022
【図２１】
2017122788.tif 000023
【図２２】
2017122788.tif 000024
【図２３】
2017122788.tif 000025
【図２４】
2017122788.tif 000026